(57)【要約】本発明は、外周部位（５２）にそれぞれ動翼（１４）の翼脚（５４）が挿入される複数の動翼取付け溝（１２）が設けられた軸カラー（２１）と、該軸カラー（２１）の端面側側面（５６）における動翼取付け溝（１２）の範囲に配置され半径方向外側に向いて開いた周溝（２０）を備えた突出部（５８）と、各動翼（１４）にそれぞれ配置され前記周溝（２０）に半径方向に対向して位置する半径方向内側に向いて開いた保持溝（２４）とを備え、動翼（１４）を軸方向に固定するために周溝（２０）と保持溝（２４）とに係合する複数の板金状密閉要素（４２）が設けられている、ロータ（２３）における動翼（１４）の軸方向固定構造（１０）に関する。密閉要素（４２）を周溝（２０）内の円周方向（Ｕ）における変位に対して固定するために、軸カラー（２１）の端面から切欠き（６５）にはめ込まれた止め要素（６７）が密閉要素（４２）の変位を阻止することを提案する。止め要素（６７）自体を意図しない緩みに対して固定するために、止め要素（６７）が塑性変形かしめによってタービン円板に固定される。【選択図】図３
2010523873.tif 000002
【特許請求の範囲】
【請求項１】
ロータ（２３）の軸方向に延びる動翼取付け溝（１２）が外周部位（５２）に設けられ該各動翼取付け溝（１２）にそれに対応した動翼（１４）の翼脚（５４）がそれぞれ挿入配置される軸カラー（２１）と、該軸カラー（２１）の端面側側面（５６）における動翼取付け溝（１２）の範囲に配置され半径方向外側に向いて開いた周溝（２０）を備えた突出部（５８）と、各動翼（１４）にそれぞれ形成され前記周溝（２０）に半径方向に対向して位置する半径方向内側に向いて開いた保持溝（２４）とを備え、動翼（１４）を軸方向に固定するためにそれぞれ周溝（２０）と保持溝（２４）とに係合し円周方向（Ｕ）に延びる端面側の環状密閉板を形成する複数の板状密閉要素（４２）が設けられている、ロータ（２３）における動翼（１４）の軸方向固定構造（１０）であって、
密閉要素（４２）を円周方向（Ｕ）における変位に対して固定するために少なくとも１個の密閉要素（４２）が開口（６３）を有し、軸カラー（２１）の側面（５６）に前記開口（６３）とほぼ一列に並ぶ切欠き（６５）並びに該切欠き（６５）内に置かれる止め要素（６７）が設けられ、該止め要素（６７）が端面側に前記開口（６３）にはまり込む突出ピン（６９）を備え、止め要素（６７）がその塑性変形かしめによって脱落に対して固定されていることを特徴とするロータ（２３）における動翼の軸方向固定構造。
【請求項２】
止め要素（６７）が、その組込み位置に関して、切欠き（６５）の範囲において断面くさび状に形成されていることを特徴とする請求項１に記載の軸方向固定構造。
【請求項３】
切欠き（６５）が止め要素（６７）のくさび形状に合わせて形成され、切欠き（６５）の両側側壁（６６）が互いに半径方向外側に徐々に狭まるように傾斜されていることを特徴とする請求項２に記載の軸方向固定構造。
【請求項４】
切欠き（６５）が半径方向外側に向いて開いていることを特徴とする請求項１ないし３のいずれか１つに記載の軸方向固定構造。
【請求項５】
切欠き（６５）の側壁（６６）に、止め要素（６７）の材料が塑性変形によって少なくとも部分的に押し入れられる、ロータに関して外周面側ポケットが設けられていることを特徴とする請求項４に記載の軸方向固定構造。
【請求項６】
軸カラー（２１）がタービン円板（１９）によって形成されていることを特徴とする請求項１ないし５のいずれか１つに記載の軸方向固定構造。
【請求項７】
少なくとも一つ置きの密閉要素（４２）が該密閉要素（４２）を変位に対して固定するための手段を有していることを特徴とする請求項１ないし６のいずれか１つに記載の軸方向固定構造。
【請求項８】
請求項１ないし６のいずれか１つに記載の動翼の軸方向位置固定構造を備えていることを特徴とするガスタービン。
【発明の詳細な説明】
【技術分野】
【０００１】
本発明は、ロータの軸方向に延びる動翼取付け溝が外周部位に設けられ該各動翼取付け溝にそれに対応した動翼の翼脚がそれぞれ挿入配置される軸カラーと、該軸カラーの端面側側面における動翼取付け溝の範囲に配置され半径方向外側に向いて開いた周溝を備えた突出部と、各動翼にそれぞれ形成され前記周溝に半径方向に対向して位置する半径方向内側に向いて開いた保持溝とを備え、動翼を軸方向に固定するために周溝と保持溝とにそれぞれ係合し円周方向に延びる端面側環状密閉板を形成する複数の板状密閉要素が設けられ、これらの密閉要素を円周方向における変位に対して固定するためにこれらの密閉要素の少なくとも１つが１つの手段を有している、ロータにおける動翼の軸方向固定構造に関する。また本発明はかかる軸方向固定構造を備えたガスタービンに関する。
【背景技術】
【０００２】
ロータ外周部位における動翼取付け溝にそれぞれ挿入配置されたタービン動翼が密閉板によって軸方向変位に対して固定されているガスタービンのロータは既に知られている。その密閉板を例えばリベットによりロータに固定することが特許文献１で知られている。
【０００３】
また図１における動翼の軸方向固定構造が知られている。図１はその軸方向固定構造を正面図で示し、図２は図１におけるＩＩ−ＩＩ線に沿った断面を示している。各動翼取付け溝１２の内部における軸方向変位に対して固定すべき各動翼１４ごとに、密閉要素として互いに幾分重なり合う２枚の密閉板１６が設けられている。その両密閉板１６は動翼取付け溝１２の端面側開口を半分ずつ覆っている。各密閉板１６はその半径方向内側端１８がタービン円板１９の端面側突出部に設けられた周溝２０にはめ込まれ、半径方向外側端２２が動翼１４の翼台座２８の下側面２６に設けられた保持溝２４にはめ込まれている。各密閉板１６を円周方向Ｕにおける変位に対して固定するために、各密閉板１６にロータ２３のほぼ半径方向に延びる直線的な短冊状止め板３０がそれぞれ取り付けられている。その各短冊状止め板３０はその半径方向外側端３２が二等辺矢状の尖端３４で終端している。動翼１４の翼台座２８の円周方向両端に傾斜縁３６が存在し、隣り合うタービン動翼１４の向かい合う傾斜縁３６は鋭角に窪んだ空所３８を形成し、密閉板１６を円周方向Ｕにおける変位に対して固定するために、短冊状止め板３０の尖端３４がその空所３８の中に突出し、翼台座２８の傾斜縁３６に接している。
【０００４】
また密閉板１６は、冷却空気が流入する領域３７と場合により燃焼ガスの一部が流入する領域３９を互いに分離する働きをする。
【０００５】
短冊状止め板３０を密閉板１６に取り付けるために、各密閉板１６に互いに平行に延びる２つのスロット４０がそれぞれ設けられ、予め断面Ｕ形に曲げられた短冊状止め板３０がそれらのスロット４０を通される。短冊状止め板３０の尖端３４とは反対の側に位置する端部４１は、短冊状止め板３０を密閉板１６に係留するために密閉板１６をタービン円板１９に組み立てる前に図２に示された位置に曲げられる。
【０００６】
タービン円板１９への動翼１４の組立後、短冊状止め板３０が予め取り付けられた密閉板１６が、タービン円板１９に形成された無端周溝２０と翼台座２８の下側面２６に形成された保持溝２４に順々にはめ込まれる。各密閉板１６は、各短冊状止め板３０が空所３８に対向して位置するように、周溝２０の円周に沿って位置付けられる。続いて、密閉板１６の円周方向Ｕにおける変位を防止するために、短冊状止め板３０の尖端３４が空所３８の中に曲げ込まれる。
【０００７】
この短冊状止め板は極端に厳しい機械的要件のために一回しか曲げ加工できないので、保守点検時に動翼を交換する際、使用済み短冊状止め板は新しい短冊状止め板と取り換えねばならない。また、短冊状止め板を密閉板に係留するために利用されるスロットは密閉板の強度を弱める。
【先行技術文献】
【特許文献】
【０００８】
【特許文献１】米国特許第３９５７３９３号明細書
【発明の概要】
【発明が解決しようとする課題】
【０００９】
本発明の課題は、密閉要素を円周方向における変位に対して固定するための、組立・分解時間が改善された固定構造を提供することにある。また本発明の課題はかかる固定構造を備えたガスタービンを提供することにある。
【課題を解決するための手段】
【００１０】
ロータにおける動翼の軸方向固定構造に向けられた課題は請求項１に記載の特徴によって解決される。
【発明の効果】
【００１１】
本発明は、密閉要素を円周方向における変位に対して固定するための手段が、密閉要素に設けられた開口と、軸カラーの側面に設けられ前記開口とほぼ一列に並ぶ切欠きと、この切欠き内と前記開口内に置かれる位置が固定された止め要素とを有していることを提案する。本発明は密閉要素に係留された短冊状止め板が空所にかみ合い結合する従来の形態とは異なっている。いまや短冊状止め板の代わりに、軸カラーの端面に設けられた切欠きにはめ込まれる止め要素が利用されている。この止め要素が密閉要素の範囲に配置され、密閉要素が置かれる周溝に対して直角に延び、密閉要素に設けられた開口に係合するので、その止め要素は密閉要素の円周方向における変位を阻止する。周溝に沿った密閉要素の許容可能な僅かな遊びは、開口の円周方向幅が止め要素の円周方向幅よりも大きい場合にのみ生じる。
【００１２】
それ自体の塑性変形かしめによって軸カラーの端面側に固定され密閉要素の開口に係合する止め要素の利用によって、密閉要素の円周方向における変位に対する特に確実で簡単な軸方向固定が達成される。さらに組立が迅速且つ簡単に実行できる。そのためにこの止め要素は適当なかしめ工具例えばハンマとたがねの形態の工具によって、止め要素が切欠き内に応力をもって接するように塑性変形される。これによって、切欠きの側壁と止め要素との間の非常に確実な摩擦結合が引き起こされ、この摩擦結合はガスタービンの運転中における止め要素の意図しない緩みを確実に防止する。この止め要素を取り外すためには、止め要素の変形加工済み部位を研削除去すればよく、そのようにして、摩擦結合がその取外しのために緩められる。
【００１３】
また、本発明に基づく実施態様によれば、従来において止め板を密閉要素に取り付けるために利用されていた密閉要素の強度を弱めるスロットが不要となる。その結果、密閉要素の剛性が一層高められ、またその密閉作用も向上される。
【００１４】
本発明の有利な実施態様は従属請求項に記載されている。
【００１５】
本発明の有利な実施態様において、止め要素は（その組込み位置に関して）切欠きの範囲で断面がくさび状に形成され、また密閉要素の開口にはめ込まれる端面側突出ピンを有している。止め要素のくさび形状およびこのくさび形状に合わされた切欠きによって、ロータにおける止め要素の特定の位置が設定される。また切欠きのくさび形状の方向づけは、切欠きの両側側壁が、それに対応した止め要素の側面と同様に、互いに半径方向外側に徐々に狭まるように傾斜して延びるように選定されている。これによって、くさび状止め要素は遠心力の作用下において外向きに押され、切欠き内において一層きつく締付けないし固着され、これは、止め要素の側面と側壁との間の摩擦結合を一層強め、止め要素の不都合な緩みを一層難しくする。その結果、特に確実な固定構造が得られる。
【００１６】
本発明の他の実施態様において、止め要素を収容する切欠きは半径方向外側に向いて開いている。この場合、切欠き内にはめ込まれた止め要素は、（ロータに関して）端面側の塑性変形かしめの代わりに、外周面側において塑性変形される。切欠きの側壁にも補助的に外周面側にポケットが設けられ、このポケットの中に止め要素の材料の変形部分が入り込む場合に、止め要素のかしめのほかに、追加的に止め要素の位置固定のためのかみ合い結合が形成される。これによって、止め要素は特に確実に脱落防止される。
【００１７】
本発明の他の有利な実施態様において、ロータの軸方向に延びる切欠きは軸カラー（軸輪）の側面に、その切欠きが周溝まで延びるように配置されている。その場合、軸カラーあるいは特にこの軸カラーを形成するタービン円板の強度低下が防止される。それに応じて、密閉要素に設けられる開口は密閉要素の半径方向内側端に設けられている。密閉要素のその部位は運転中に僅かしか加熱されず、これにより、密閉要素の剛性および耐熱性がこの開口によって害されない。
【００１８】
密閉要素を変位に対して固定するための手段を一つ置きの密閉要素あるいは各密閉要素が有していることが特に有利である。本発明の固定構造は、目的に適って、定置形軸流ガスタービンのロータに利用される。
【００１９】
以下図に示した複数の実施例を参照して本発明を詳細に説明する。この説明から本発明の他の特徴および利点が理解できる。
【図面の簡単な説明】
【００２０】
【図１】従来技術のロータにおける動翼の軸方向固定構造の部分正面図。
【図２】図１におけるＩＩ−ＩＩ線に沿った断面図。
【図３】密閉要素による動翼の軸方向固定構造が採用された複数の動翼を備えたタービン円板の部分正面図。
【図４】本発明に基づく止め要素の斜視図。
【図５】ロータの切欠きにはめ込まれた止め要素の第２実施例の斜視図。
【発明を実施するための形態】
【実施例１】
【００２１】
図３は、ガスタービンのロータ２３におけるタービン円板１９で形成された軸カラー２１を部分正面図で示している。回転軸線５０を中心に回転可能なロータ２３はその外周部位５２に円周方向Ｕに沿って分布された軸方向に延びる複数の動翼取付け溝１２を有している。この各動翼取付け溝１２にそれらに対応して形成された動翼１４の翼脚５４がそれぞれ挿入される。図３の中央に示された動翼取付け溝１２には既に動翼１４の翼脚５４が挿入されている。図１と図２に示された従来技術と同様に、タービン円板１９の端面側ないし軸カラー２１の端面側側面５６に、軸方向に突出した突出部５８あるいは張出部が設けられ、そこに半径方向外側に向いて開いた周溝２０が形成されている。この周溝２０は例えば動翼取付け溝１２よりも半径方向内側に配置されている。動翼１４は翼脚５４と翼形部（羽根部）との間に配置された翼台座２８を有し、この翼台座２８の下側面に周溝２０に向けて開いた保持溝２４が設けられ、この保持溝２４は周溝２０に対向して位置している。従来技術と同じように、密閉要素４２は無端周溝２０と保持溝２４とにはめ込まれ、この密閉要素４２は動翼１４を動翼取付け溝に沿った変位に対して固定している。
【００２２】
最近の従来技術と異なって、各密閉要素４２が各動翼取付け溝１２の端面側開口をそれぞれ完全に覆っている。即ち、それぞれ１個の動翼１４が１個の密閉要素４２だけで動翼取付け溝１２に沿った変位に対して固定されている。
【００２３】
しかし密閉要素４２は、従来技術と同じように、隣り合う２個の密閉要素が動翼１４の保持溝２４にそれぞれ半分ずつはまり込むように円周上に分布することもできる。その場合、隣り合う２個の密閉要素が１個の動翼１４を軸方向変位に対して固定する。
【００２４】
従来技術に類似して、完全に組み立てられ互いに幾分重なり合う複数の密閉要素４２から成る密閉要素輪は、冷却材で貫流される領域３７を燃焼ガスが場合により流入する他の領域３９から分離する環状密閉板を形成している（図２参照）。
【００２５】
密閉要素４２自体を円周方向における変位に対して固定するために、密閉要素４２の半径方向内側端６１に開口６３が設けられ、この開口６３は切込み開口でも孔でもよい。
【００２６】
また、軸カラー２１の側面５６において突出部５８の範囲に、ほぼロータ２３の軸方向に、即ちその回転軸線５０に対して平行に延びる切欠き６５が設けられている。各切欠き６５は互いに向き合う両側側面６６を有し、この両側側面６６は互いに半径方向外側に徐々に狭まるように傾斜してくさび状に延びているが、互いに接触せずに空隙を形成している。
【００２７】
外側に向いて開いた切欠き６５の代わりに、外側が閉じられた凹所を存在させることもできる。この場合、互いに半径方向外側に徐々に狭まるように傾斜して延びる両側側壁６６は丸みのある先端で接触している。
【００２８】
図４に斜視図で示された止め要素６７が切欠き６５にはめ込まれる。その止め要素６７は、切欠き６５に対応して両側フランク７０が互いに半径方向外側に徐々に狭まるように傾斜して延びたくさび形状部位と、このくさび形状部位の端面に配置された１つのピン６９を有している。止め要素６７が切欠き６５にはめ込まれた場合、ピン６９が密閉要素４２の開口６３にはまり込む。
【００２９】
全体として、密閉要素４２を円周方向Ｕにおける変位に対して固定するための手段は、密閉要素４２の開口６３、タービン円板１９の端面に設けられた切欠き６５並びにこの切欠き６５にはめ込まれる止め要素６７を有している。
【００３０】
周溝２０に沿った密閉要素４２の許容可能な僅かな遊びは、開口６３の円周方向幅が止め要素の円周方向幅すなわちピン直径より大きい場合にのみ生じる。冷却材領域３７の燃焼ガス領域３９からの特別な気密分離を達成するために、殊に開口６３の幅はほぼピン６９の直径に相当している。
【００３１】
止め要素６７の切欠き６５へのはめ込み後、止め要素６７がかしめ工程によって僅かに塑性変形される。その場合、止め要素６７は部位７１が塑性変形される。これによって、止め要素６７をはめ込むためになお存在していた僅かな遊隙が除去され、これによって、止め要素６７の確実な固定が生ずる。その遊隙の除去によって止め要素６７の両フランク７０が切欠き６５の両側壁６６に押し合わされる。これによって、切欠き６５の側壁６６と止め要素６７のフランク７０との間に、止め要素６７の不都合な緩みを確実に防止する確実な摩擦結合が生ずる。
【００３２】
かしめ工程は先端が僅かに丸められた適切なたがねによって行われる。そのたがねは止め要素６７の部位７１に当てられ、打ち付け衝撃が加えられる。たがねを制御して位置付けするために、止め要素は端面に窪み７１が予め加工されており、この窪みにたがねを当てる。
【実施例２】
【００３３】
図５に本発明の異なった実施例が斜視図で示されている。その場合、図４とは幾分変更された止め要素６７が切欠き６５にはめ込まれている。図５で利用される止め要素６７は、端面側の窪み７１の代わりに、（ロータに関して）２つの外被側（外周側）窪み７１がかしめ工程の補助具として有している。これらの窪み７１は、止め要素６７が図５における切欠き６５で採用される場合には、側壁６６の外周側に設けられたポケット７２に対向して位置している。上述した様式に応じたかしめ工程によって、止め要素の窪み７１に隣接する材料がポケット７２の中に押し入れられ、これによって、止め要素６７を切欠き６５の中に確実に位置づけるためにかみ合い結合が生ずる。
【００３４】
全体として本発明によれば、軸カラーの端面から切欠きの中にはめ込まれた止め要素が密閉要素の変位を阻止することによって、従来技術で公知の欠点が解消された密閉要素の固定構造が得られる。止め要素自体が不都合な緩みに対して固定されるようにするために、止め要素は塑性変形かしめによってタービン円板に固定される。
【符号の説明】
【００３５】
１０    動翼の軸方向固定構造
１２    動翼取付け溝
１４    動翼
１９    タービン円板
２０    周溝
２１    軸カラー
２３    ロータ
２４    保持溝
４２    密閉要素
５６    軸カラー側面
６３    開口
６５    切欠き
６７    止め要素
６９    ピン
【図１】
2010523873.tif 000003
【図２】
2010523873.tif 000004
【図３】
2010523873.tif 000005
【図４】
2010523873.tif 000006
【図５】
2010523873.tif 000007
【国際調査報告】
2010523873.tif 000008
2010523873.tif 000009
2010523873.tif 000010
2010523873.tif 000011
2010523873.tif 000012
2010523873.tif 000013